(57)【要約】      （修正有）【課題】参照信号に用いる複数の直交符号を割り当てる場合、直交リソース利用を効率化する。【解決手段】基地局装置は、まず移動局装置へＣＱＩを送信するためのリソースを割り当て（５０１）、ＣＱＩ計算用信号を送信する（５０３）。移動局装置はＣＱＩを算出し（５０４）、拡散を行い、周波数リソースにマッピングを行い（５０５）、アンテナマッピングが行われ（５０６）、割り当てられた時間リソースにおいて基地局装置Ａへ送信される（５０７）。基地局装置Ａは、この信号を受信し、参照信号の抽出、チャネル推定、ＣＱＩ情報の抽出、復調などの受信処理を行う（５０８）。上記５０３から５０８までの処理は、ＣＱＩ送信リソースの割り当て５０１の後に複数回処理が行われ、また、同様の処理がＭ個の移動局装置についても同様に行われる。【選択図】図６
2010200077.tif 000002
【特許請求の範囲】
【請求項１】
基地局装置と２個以上の移動局装置とから構成され、前記移動局装置は送信ダイバーシチを適用した制御信号をおよび送信アンテナに対応した２個以上の参照信号を前記基地局装置に対して送信し、前記制御信号および参照信号は前記基地局装置から割り当てられた直交符号によって符号分割多重される無線通信システムであって、
前記２個以上の参照信号を多重するための直交符号は、前記基地局装置から前記移動局装置へと割り当てられ、１個の直交符号は２個以上の前記移動局装置へ割り当てられ、異なる移動局装置が時間分割で参照信号の送信に利用されることを特徴とする無線通信システム。
【請求項２】
基地局装置と２個以上の移動局装置とから構成され、前記移動局装置はＳＴＢＣ方式を利用した送信ダイバーシチを適用した制御信号をおよび送信アンテナに対応した２個以上の参照信号を前記基地局装置に対して送信し、前記制御信号および参照信号は前記基地局装置から割り当てられた直交符号によって符号分割多重される無線通信システムであって、
前記２個以上の参照信号を多重するための直交符号は、前記基地局装置から前記移動局装置へと割り当てられ、１個の直交符号は２個以上の前記移動局装置へ割り当てられ、異なる移動局装置が時間分割で参照信号の送信に利用されることを特徴とする無線通信システム。
【請求項３】
前記制御信号は、チャネル品質情報もしくは空間多重系列情報もしくは送信信号前処理情報を含むことを特徴とする請求項１又は２に記載の無線通信システム。
【請求項４】
前記制御信号は、SC-FDMA方式により送信され
前記直交符号により拡散された信号は、周波数軸方向に配置されることを特徴とする請求項１又は２に記載の無線通信システム。
【請求項５】
前記基地局装置から前記移動局装置へと通知される直交符号の割り当て情報は、
どの時刻において、どの直交符号を用いて、前記制御情報を送信するかという第１の情報と、
どの時刻において、どの直交符号を用いて、どの送信アンテナに対応する参照信号を送信するかという第２の情報とを含むことを特徴とする請求項１から４までのいずれか１項に記載の無線通信システム。
【請求項６】
前記基地局装置から前記移動局装置へと通知される直交符号の割り当てについて、
どの時刻において、どの直交符号を用いて、前記制御情報を送信するかという第１の情報と、
どの時刻において、どの直交符号を用いて、どの送信アンテナに対応する参照信号を送信するかという管理情報およびそれに対応したインデックスが前記移動局装置と前記移動局装置で管理されており、
前記移動局装置から前記基地局装置へそのインデックスを通知することで前記割り当てが実施されることを特徴とする請求項１から４までのいずれか１項に記載の無線通信システム。
【請求項７】
前記移動局装置を複数のグループに分類し
前記移動局装置が前記基地局装置から受信した前記インデックスは、前記グループによって異なる直交符号割り当ての解釈を行うことを特徴とする請求項６に記載の無線通信システム。
【請求項８】
前記グループとは、参照信号の送信に利用する直交符号の数で分類され、
Ｎ（Ｎは２以上の整数）個の直交符号を利用して参照信号の多重送信を行う移動局装置は、前記受信したインデックスに対応したＮ個の直交符号を利用して参照信号を符号分割多重して前記基地局装置に送信することを特徴とする請求項７に記載の無線通信システム。
【請求項９】
前記基地局装置から前記移動局装置へと通知されるインデックスの解釈について、
所定の時刻単位ごとに変化することを特徴とする請求項６から８までのいずれか１項に記載の無線通信システム。
【請求項１０】
基地局装置と２個以上の移動局装置とから構成され、前記移動局装置は送信ダイバーシチを適用した制御信号をおよび送信アンテナに対応した２個以上の参照信号を前記基地局装置に対して送信し、前記制御信号および参照信号は前記基地局装置から割り当てられた直交符号によって符号分割多重される無線通信システムにおける基地局装置であって、
前記２個以上の参照信号を多重するための直交符号を前記移動局装置へと割り当て、１個の直交符号は２個以上の前記移動局装置へ割り当てることを特徴とする基地局装置。
【請求項１１】
基地局装置と２個以上の移動局装置とから構成され、前記移動局装置は送信ダイバーシチを適用した制御信号をおよび送信アンテナに対応した２個以上の参照信号を前記基地局装置に対して送信し、前記制御信号および参照信号は前記基地局装置から割り当てられた直交符号によって符号分割多重される無線通信システムにおける移動局装置であって、
前記基地局装置から前記移動局装置へと割り当てられた前記２個以上の参照信号を多重するための１個の直交符号は２個以上の前記移動局装置へ割り当てられ、異なる移動局装置において時間分割で参照信号の送信に利用されることを特徴とする移動局装置。
【請求項１２】
基地局装置と２個以上の移動局装置とから構成され、前記移動局装置は送信ダイバーシチを適用した制御信号をおよび送信アンテナに対応した２個以上の参照信号を前記基地局装置に対して送信し、前記制御信号および参照信号は前記基地局装置から割り当てられた直交符号によって符号分割多重される無線通信システムにおける通信方法であって、
前記２個以上の参照信号を、１つの移動局装置において符号拡散多重されて前記基地局装置へ送信するステップと、
前記参照信号を多重するための直交符号を、前記基地局装置から前記移動局装置へと割り当てるステップと、
１個の直交符号は２個以上の前記移動局装置へ割り当てるステップと、
異なる移動局装置が時間分割で参照信号の送信に利用するステップと
有することを特徴とする通信方法。
【請求項１３】
コンピュータに請求項１２に記載の通信方法を実行させるためのプログラム。
【発明の詳細な説明】
【技術分野】
【０００１】
本発明は、通信技術に関し、より詳細には、送信および受信する基地局装置、移動局装置を有する移動通信システムにおいて、受信品質を向上するための送信ダイバーシチ技術及び、その受信技術に関する。
【背景技術】
【０００２】
次世代セルラー移動通信の一方式として、国際的な標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）において、Ｗ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）とＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）を発展させたネットワークの仕様に関して検討が行われている。
【０００３】
３ＧＰＰでは、以前からセルラー移動通信方式について検討されており、第３世代セルラー移動通信方式として、Ｗ−ＣＤＭＡ方式が標準化された。また、通信速度を更に向上したＨＳＤＰＡ（Ｈｉｇｈ−Ｓｐｅｅｄ  Ｄｏｗｎｌｉｎｋ  Ｐａｃｋｅｔ  Ａｃｃｅｓｓ）も標準化され、サービスが運用されている。現在、３ＧＰＰでは、第３世代無線アクセス技術の進化（Ｌｏｎｇ Ｔｅｒｍ Ｅｖｏｌｕｔｉｏｎ：  以下、「ＬＴＥ」と呼ぶ）や、さらなる通信速度の高速化へ向けたＬＴＥ Ａｄｖａｎｃｅｄ(以下、「ＬＴＥ−Ａ」と呼ぶ)についても検討が行われている。
【０００４】
ＬＴＥにおける上りリンク制御情報の送信では、基地局装置から割り当てられた直交リソースに基づくＣＤＭＡ(Ｃｏｄｅ  Ｄｉｖｉｓｉｏｎ  Ｍｕｌｔｉｐｌｅ  Ａｃｃｅｓｓ)が採用されている。具体的には、制御チャネルを利用した上りリンクの受信品質情報ＣＱＩ（Channel Quality Indicator）の送信では、SC-FDMA（Single Carrier Frequency Division Multiple Access）を想定して分割された周波数リソースにおいて、ＣＡＺＡＣ（Ｃｏｎｓｔａｎｔ  Ａｍｐｌｉｔｕｄｅ  ａｎｄ  Ｚｅｒo  Ａｕｔｏ−Ｃｏｒｒｅｌａｔｉｏｎ）系列を時間軸上で異なる長さのサイクリックシフトを行うことにより得られる直交符号を用いた符号拡散が行われる。ＣＡＺＡＣ系列とは、時間領域および周波数領域において一定振幅かつ自己相関特性に優れた系列のことである。時間領域で一定振幅であることからＰＡＰＲ（Ｐｅａｋ  ｔｏ  Ａｖｅｒａｇｅ  Ｐｏｗｅｒ  Ｒａｔｉｏ）を低く抑えることが可能である。
【０００５】
図９および図１０は、ＬＴＥの上り制御チャネルにおける時間および周波数で分割されるリソース管理の原理を示す図であり、それぞれの横軸は時間を、縦軸は周波数を表している。図９に示すとおり、上りリンクリソースは主に制御情報を送信するために利用される物理上りリンク制御チャネル（PUCCH：Physical Uplink Control Channel）と各移動局装置が主にデータを送信するための物理上りリンク共用チャネル（PUSCH：Physical Uplink Shared Channel）を持ち、それぞれはリソースブロック（ＲＢ：Ｒｅｓｏｕｒｃｅ  Ｂｌｏｃｋ）と呼ばれる分割単位の集合として表現される。周波数方向におけるリソースブロック数はシステムの帯域幅に依存している。また、時間方向については、１リソースブロックが占める時間単位を１スロットとよび、これを２つ合わせて１サブフレームと呼んでいる。PUCCHにおける割り当て単位はサブフレームであり、周波数ダイバーシチ獲得のためにスロット毎にホッピングして配置される。具体的には、図９に示す番号（図中のｍで表記されたもの）が同じリソースブロックＸが割り当てられ、周波数軸における両端に配置されるように、サブフレームが割り当てられる。
【０００６】
一方、図１０は１リソースブロック（ＲＢ）Ｘ内における構成を周波数−時間軸上において示した１例を示す図である。この例においては、１リソースブロックは７個のSC-FDMA シンボル（１スロットに相当）、周波数方向に１２サブキャリアから構成され、１SC-FDMAシンボル×１サブキャリアで構成される最小のリソースの単位をリソースエレメント（RE）と呼ぶ。
【０００７】
リソースエレメントに配置された変調シンボルは、SC-FDMAシンボル単位でＦＦＴ（Fast Fourier Transformation）などの処理により時間領域に変換された後、移動局装置から基地局装置へ送信される。特に、上述のＣＱＩをPUCCHで送信する場合には、ＣＱＩの１シンボル（たとえばQPSKであれば2ビットの情報）が系列長１２の直交系列により拡散され、１SC-FDMAシンボルｘ１２サブキャリアで構成されるリソースエレメントに配置される。また、復調時における伝搬路推定用途の参照信号（もしくはパイロット信号とも呼称される）も同様の配置がなされ、具体的には、送信機と受信機とで、既知の系列が系列長１２の直交符号により拡散され、１SC-FDMAシンボルｘ１２サブキャリアで構成されるリソースエレメントに配置される。LTEでは図１０中のSC-FDMAシンボル番号１番及び５番の位置に参照信号が配置されることが決められている。
【０００８】
一方、LTEにおける移動局装置は、１つの増幅器と複数の送信アンテナを有することが想定されていたが、LTE-Aでは複数の増幅器と送信アンテナを利用した送信ダイバーシチの採用が検討されている。送信ダイバーシチを用いると、一つの伝搬路の特性が劣化していても、他の状態の良い伝搬路を利用することによるゲインを得ることができ、結果として受信特性を向上することができる。
【０００９】
ＬＴＥ−ＡにおけるPUCCHを用いたＣＱＩ送信に適用する送信ダイバーシチについて、下記非特許文献１では、上りリンクの制御信号に対する２アンテナ送信ダイバーシチ技術として、ＳＴＢＣ（Ｓｐａｃｅ  Ｔｉｍｅ  Ｂｌｏｃｋ  Ｃｏｄｉｎｇ）などの方式が定性的に評価されている。下記非特許文献２においてもＳＣＴＤ（Ｓｐａｃｅ Ｃｏｄｅ Ｔｒａｎｓｍｉｔ Ｄｉｖｅｒｓｉｔｙ）という方式を適用することが検討されている。
【００１０】
ＳＴＢＣは、複数のアンテナを用いた送信ダイバーシチ技術であり、フェージング環境における伝送品質の向上に有効である。ＳＴＢＣは、複数のアンテナと連続した時間にまたがるシンボルを利用してペアとなる送信信号を生成しこれを伝送する。受信機では、得られた信号を処理することにより、それぞれの伝搬路を最大比合成した信号が得られるため、受信品質の向上に効果的である。しかし、ＳＴＢＣは送信アンテナに対応した数の伝搬路を受信機が知る必要があり、つまり、それぞれが送信アンテナと同数の直交リソースを参照信号に対して割り当てる必要がある。ＬＴＥにおけるリソース割り当ての手続きにおいては、参照であるかＣＱＩ情報を送信するか（すなわちＳＣ−FDMAシンボル番号に関わらず）ひとつの直交符号（ＣＡＺＡＣ系列に対して、時間領域に異なるサイクリックシフト処理を施すことにより生成される）の符号を割り当てるため、参照の直交符号を２個割り当てるためには、実際には利用されないＣＱＩ情報の送信リソースも移動局装置へ割り当ててしまう。図１１を用いて具体的に説明すると、移動局装置ＡがＳＴＢＣを行う場合には、移動局装置から直交符号番号０番と１番の系列が割り当てられる。ＣＱＩ情報は０番の直交符号を用いて、ＳＣ−ＦＤＭＡシンボル番号０、２，３，４，６のシンボルでＳＴＢＣで送信されるが、参照はＳＣ−ＦＤＭＡシンボル番号１、５番のシンボルでそれぞれの送信アンテナが異なる直交符号により送信される。つまり、直交符号番号１におけるＳＣ−ＦＤＭＡシンボル番号０，２，３，４，６のリソースは利用されない。移動局装置ＢからＦについても同様である。つまり、ＣＡＺＡＣ系列のサイクリックシフト処理により取得できる直交符号は１２個であるが、符号分割多重数は６となってしまい、リソースの利用効率は向上できない。
【００１１】
これを解決するために、１番目と５番目の参照を [+1, +1], [+1, -1] の系列を利用したブロック拡散により符号分割多重することで、２つの参照多重することも提案されているが（下記非特許文献３参照）、１スロット内に参照が２つ以上必要であるか、もしくは、LTEですでに仕様化されている２つの参照間の位相差による情報送信方式との整合がないという問題もある。
【００１２】
一方、SCTDは送信アンテナごとに直交符号を割り当てて信号を送信し、分離して受信できる送信信号を最大比合成することによって利得を得る送信ダイバーシチ方式である。この方式では送信ダイバーシチのない場合からの受信機の構成が少なくて済み、かつ、送信側における最大比合成を行うＳＴＢＣと同等の利得を得られるというメリットがある。しかしながら、図１２に示すように、すべてのSC-FDMAシンボルにおいて、１つの移動局装置が送信アンテナ数に対応した数の直交リソースの利用することになり、ＳＴＢＣよりリソースの利用効率は低下する。
【先行技術文献】
【非特許文献】
【００１３】
【非特許文献１】“ＵＬ  ＭＩＭＯ  Ｔｒａｎｓｍｉｓｓｉｏｎ  ＬＴＥ”、  ３ＧＰＰ  ＴＳＧ  ＲＡＮ  ＷＧ１  ＃５４ｂｉｓ、  Ｒ１−０８３６８４
【非特許文献２】“Ｅｖａｌｕａｔｉｏｎ  ｏｆ  ｔｒａｎｓｍｉｔ  ｄｉｖｅｒｓｉｔｙ  ｆｏｒ  ＰＵＣＣＨ  ｉｎ  ＬＴＥ−Ａ”、  ３ＧＰＰ  ＴＳＧ  ＲＡＮ  ＷＧ１  ＃５４ｂｉｓ、  Ｒ１−０８３８６２
【非特許文献３】“Ｅｖａｌｕａｔｉｏｎ  ｏｆ  ｔｒａｎｓｍｉｔ  ｄｉｖｅｒｓｉｔｙ  ｆｏｒ  ＰＵＣＣＨ  ｉｎ  ＬＴＥ−Ａ”、  ３ＧＰＰ  ＴＳＧ  ＲＡＮ  ＷＧ１  ＃５５ｂｉｓ、  Ｒ１−０９０１３５
【発明の概要】
【発明が解決しようとする課題】
【００１４】
上記のように、非特許文献１から３まででは、従来のＬＴＥとの整合性と保持したまま、符号分割多重における多重数を向上させる送信ダイバーシチ方式は提案されていない。具体的にＳＴＢＣよる送信ダイバーシチ方式では参照信号が分離できる必要があり、送信アンテナの数に応じた直交リソースを割り当てる必要がある。しかしながら、送信ダイバーシチを用いないことを想定して設計されたシステムにおいては、参照信号に用いる複数の直交符号を割り当てる場合、参照信号だけでなくＳＴＢＣでは利用されないデータ信号の直交リソースまで割り当ててしまうことが発生し、直交リソース利用が非効率であるという問題が発生していた。本発明は、直交リソース利用を効率化することを目的とする。
【課題を解決するための手段】
【００１５】
本発明は、ＳＴＢＣを利用し、かつ、ＳＴＢＣのために付加的に必要となる参照信号の直交リソースを、複数の端末でシェアすることを特徴とする。
【００１６】
本発明の一観点によれば、基地局装置と２個以上の移動局装置とから構成され、前記移動局装置は送信ダイバーシチを適用した制御信号をおよび送信アンテナに対応した２個以上の参照信号を前記基地局装置に対して送信し、前記制御信号および参照信号は前記基地局装置から割り当てられた直交符号によって符号分割多重される無線通信システムであって、前記２個以上の参照信号を多重するための直交符号は、前記基地局装置から前記移動局装置へと割り当てられ、１個の直交符号は２個以上の前記移動局装置へ割り当てられ、異なる移動局装置が時間分割で参照信号の送信に利用されることを特徴とする無線通信システムが提供される。
【００１７】
また、基地局装置と２個以上の移動局装置とから構成され、前記移動局装置はＳＴＢＣ方式を利用した送信ダイバーシチを適用した制御信号をおよび送信アンテナに対応した２個以上の参照信号を前記基地局装置に対して送信し、前記制御信号および参照信号は前記基地局装置から割り当てられた直交符号によって符号分割多重される無線通信システムであって、前記２個以上の参照信号を多重するための直交符号は、前記基地局装置から前記移動局装置へと割り当てられ、１個の直交符号は２個以上の前記移動局装置へ割り当てられ、異なる移動局装置が時間分割で参照信号の送信に利用されることを特徴とする無線通信システムが提供される。ＬＴＥへの拡張を考慮すると、ＳＴＢＣに適用が適している。
【００１８】
前記制御信号は、チャネル品質情報もしくは空間多重系列情報もしくは送信信号前処理情報を含むことが好ましい。また、前記制御信号は、SC-FDMA方式により送信され、前記直交符号により拡散された信号は、周波数軸方向に配置されることが好ましい。前記基地局装置から前記移動局装置へと通知される直交符号の割り当て情報は、どの時刻において、どの直交符号を用いて、前記制御情報を送信するかという第１の情報と、どの時刻において、どの直交符号を用いて、どの送信アンテナに対応する参照信号を送信するかという第２の情報とを含むことを特徴とする。ここで、時刻とはSC-FDMAシンボルを指す。
【００１９】
前記基地局装置から前記移動局装置へと通知される直交符号の割り当てについて、どの時刻において、どの直交符号を用いて、前記制御情報を送信するかという第１の情報と、
どの時刻において、どの直交符号を用いて、どの送信アンテナに対応する参照信号を送信するかという管理情報およびそれに対応したインデックスが前記移動局装置と前記移動局装置で管理されており、前記移動局装置から前記基地局装置へそのインデックスを通知することで前記割り当てが実施されることが好ましい。
【００２０】
前記移動局装置を複数のグループに分類し、前記移動局装置が前記基地局装置から受信した前記インデックスは、前記グループによって異なる直交符号割り当ての解釈を行うようにしても良い。
【００２１】
前記グループとは、参照信号の送信に利用する直交符号の数で分類され、Ｎ（Ｎは２以上の整数）個の直交符号を利用して参照信号の多重送信を行う移動局装置は、前記受信したインデックスに対応したＮ個の直交符号を利用して参照信号を符号分割多重して前記基地局装置に送信することが好ましい。また、前記基地局装置から前記移動局装置へと通知されるインデックスの解釈について、所定の時刻単位ごとに変化するようにしても良い。これは、スロットごとに参照信号の配置が変わることを意味する。
【００２２】
本発明の他の観点によれば、基地局装置と２個以上の移動局装置とから構成され、前記移動局装置は送信ダイバーシチを適用した制御信号をおよび送信アンテナに対応した２個以上の参照信号を前記基地局装置に対して送信し、前記制御信号および参照信号は前記基地局装置から割り当てられた直交符号によって符号分割多重される無線通信システムにおける基地局装置であって、前記２個以上の参照信号を多重するための直交符号を前記移動局装置へと割り当て、１個の直交符号は２個以上の前記移動局装置へ割り当てることを特徴とする基地局装置が提供される。
【００２３】
また、基地局装置と２個以上の移動局装置とから構成され、前記移動局装置は送信ダイバーシチを適用した制御信号をおよび送信アンテナに対応した２個以上の参照信号を前記基地局装置に対して送信し、前記制御信号および参照信号は前記基地局装置から割り当てられた直交符号によって符号分割多重される無線通信システムにおける移動局装置であって、前記基地局装置から前記移動局装置へと割り当てられた前記２個以上の参照信号を多重するための１個の直交符号は２個以上の前記移動局装置へ割り当てられ、異なる移動局装置において時間分割で参照信号の送信に利用されることを特徴とする移動局装置が提供される。
【００２４】
本発明の別の観点によれば、基地局装置と２個以上の移動局装置とから構成され、前記移動局装置は送信ダイバーシチを適用した制御信号をおよび送信アンテナに対応した２個以上の参照信号を前記基地局装置に対して送信し、前記制御信号および参照信号は前記基地局装置から割り当てられた直交符号によって符号分割多重される無線通信システムにおける通信方法であって、前記２個以上の参照信号を、１つの移動局装置において符号拡散多重されて前記基地局装置へ送信するステップと、前記参照信号を多重するための直交符号を、前記基地局装置から前記移動局装置へと割り当てるステップと、１個の直交符号は２個以上の前記移動局装置へ割り当てるステップと、異なる移動局装置が時間分割で参照信号の送信に利用するステップと、有することを特徴とする通信方法が提供される。
【００２５】
本発明は、コンピュータに上記に記載の通信方法を実行させるためのプログラムであっても良い。当該プログラムは、インターネットなどの伝送媒体により取得されるものでも良い。また、本発明は、上記プログラムをコンピュータに実行させるための記録媒体でも良い。
【発明の効果】
【００２６】
本発明では、１つの符号リソースを複数の移動局装置で共用し、時間（つまりＳＣ−ＦＤＭＡシンボル）を分割して各移動局装置にこの直交リソースを割り当てる。これにより、ＳＴＢＣおいて利用できない直交リソースを減らし、ＣＤＭＡによる同時多重可能な移動局装置の数を増加させることができる。
【図面の簡単な説明】
【００２７】
【図１】本実施の形態による基地局装置の一構成例を示す機能ブロック図である。
【図２】本実施の形態による移動局装置の一構成例を示す機能ブロック図である。
【図３】従来のリソースの割当と本実施の形態によるリソースの割当を比較した図である。
【図４】送信アンテナ数２個であり、送信ダイバーシチ方式にＳＴＢＣを利用する場合において、割り当てられた直交符号の利用の仕方を模式的に表した図である。
【図５】基地局装置から移動局装置へＣＱＩの送信リソースが割り当てられ、そのリソースでＣＱＩの送信を行うシーケンスチャート図である。
【図６】図６（ａ）は、本発明の第２の実施の形態による移動通信システムにおける、基地局装置と移動局装置との間の処理及び信号の流れを示すシーケンス図であり、図６（ｂ）、（ｃ）は、ＳＴＢＣを用いた送信ダイバーシチでＣＱＩを送信する移動局装置１および２に対して拡散符号系列を割り当てるときの手順を示す図である。
【図７】どのSC-FDMAシンボルに参照信号を配置するかに関する図６（ｃ）とは異なる配置例を示す図である。
【図８】本発明の第３の実施の形態におけるスロット毎にＲＳの位置を変える例を示す図である。
【図９】ＬＴＥの上り制御チャネルにおける時間および周波数で分割されるリソース管理の原理を示す図であり、
【図１０】１リソースブロック内における構成を周波数および時間において示した１例を表す。
【図１１】移動局装置への直交符号番号の符号の割り当て例を示す図である。
【図１２】移動局装置への直交符号番号の符号の割り当て例を示す図である。
【発明を実施するための形態】
【００２８】
以下、本発明の実施の形態について図面を参照しながら説明を行う。
【００２９】
（第１の実施の形態）
本発明の第１の実施の形態による移動通信システムは、移動局装置と基地局装置とを有している。本実施の形態では、アンテナ本数と同数の直交リソースを移動局装置に割り当てている場合を示している。ここでは、ＬＴＥにおけるＰＵＣＣＨを用いたＣＱＩ送信に適用可能な送信ダイバーシチ法について説明する。但し、本発明は、ＣＱＩに限定されるものでなく、決められた周波数領域において符号拡散しＣＤＭＡを行う通信方式であれば、同様に適用可能であり、他の情報信号を送信してもよい。
【００３０】
本発明の第１の実施の形態による移動通信システムは、基地局装置と移動局装置とを有している。図１、図２は、本実施の形態による基地局装置と移動局装置とのそれぞれの一構成例を示す機能ブロック図である。
【００３１】
図１に示すように、本実施の形態による基地局装置Ａは、送信部２１０、スケジューリング部２２０、受信部２３０、および、アンテナ２４０を備えている。送信部２１０は、情報多重部２１１、変調部２１２、マッピング部２１３、無線送信部２１４を備えている。また、スケジューリング部２２０は、制御情報送信リソース制御部２２２を備えており、受信部２３０は、無線受信部２３１、情報抽出部２３２、伝搬路補償・逆拡散部２３３、合成・復調部２３４、を備えている。アンテナ２４０は、下りリンク信号の送信および上りリンク信号の受信に必要な数だけ備えられている。
【００３２】
基地局装置Ａにおいて生成された、各移動局装置に送信する下りリンクデータと、スケジューリング部２２０から出力される制御情報送信のためのスケジューリング情報とは、情報多重部２１１に入力され、各移動局装置に送信するデータが生成される。但し、下りリンクデータは必ず存在する必要はなく、スケジューリング情報のみが存在してもよい。また、ここで、スケジューリング情報とは、各移動局装置がＣＱＩを送信するために利用する制御チャネルの時間リソース（サブフレーム番号、つまりある基準からのオフセットや周期）、周波数リソース（リソースブロック番号）、符号リソースを表す情報のことである。ここで、送信される制御情報はＣＱＩに関わらず、空間多重における送信系列数、送信信号の前処理情報などの情報や、もしくはそれらを同時に送信するものでもよい。
【００３３】
情報多重部２１１から出力された信号は、スケジューリング部２２０の指定のもとに変調部２１２において変調され、送信される信号形態に変換される。具体的には、ビット列がＱＡＭ、ＱＰＳＫなどの信号に変調される。
【００３４】
変調部２１２により変調された信号はマッピング部２１３に供給され、スケジューリング部２２０の指定に従ったリソースにマッピングされる。具体的には、ＯＦＤＭＡであれば、移動局装置毎に指定された周波数、時間リソースにマッピングされ、全移動局装置に報知される情報なども所定の周波数、時間リソースにマッピングされる。
【００３５】
マッピング部２１３の出力は無線送信部２１４に供給され、送信方式にあった形態に変換される。具体的にＯＦＤＭＡベースの通信方式であれば、周波数領域の信号に対してＩＦＦＴ（Ｉｎｖｅｒｓｅ  Ｆａｓｔ  Ｆｏｕｒｉｅｒ  Ｔｒａｎｓｆｏｒｍａｔｉｏｎ）が施されることにより、時間領域の信号が生成される。また、ＭＩＭＯ（Ｍｕｌｔｉｐｌｅ  Ｉｎｐｕｔ  Ｍｕｌｔｉｐｌｅ  Ｏｕｔｐｕｔ）による空間多重が採用されていれば、この処理がこのブロックにおいて行われる。無線送信部２１４の出力信号はアンテナ２４０に供給され、ここから各移動局装置へ信号が送信される。
【００３６】
スケジューリング部２２０は、上位レイヤからの制御情報を受け取り、各移動局装置へのリソース割り振りや変調方式、符号化率の決定などを行っている。特に、制御情報送信リソース制御部２２１は、上述のスケジューリング情報を生成および管理する機能であり、従来は、ＳＣ−ＦＤＭＡシンボル単位での直交符号割り当てを行えなかったところを、ＳＣ−ＦＤＭＡ単位で分割して異なる移動局装置に割り当てることができる点が従来とは異なる点である。図３を用いて具体的に説明すると、左に示す従来の割り当て方法では、ＳＴＢＣを実現するために移動局装置Ａへは直交符号番号０番と１番を、移動局装置Ｂへは直交符号番号２番と３番の直交符号（ＣＡＺＡＣ系列のサイクリックシフトの値に相当する）を割り当てる必要があったが、本実施の形態による方法では、移動局装置Ａへは全てのＳＣ−ＦＤＭＡシンボルにおける直交符号番号０番と、ＳＣ−ＦＤＭＡシンボル番号１番、５番における直交符号番号１番の直交符号を割り当て、移動局装置ＢへはすべてのＳＣ−ＦＤＭＡシンボルにおける直交符号番号２番と、ＳＣ−ＦＤＭＡシンボル番号２番、４番における直交符号番号１番の直交符号を割り当てることが可能である。
【００３７】
移動局装置から送信された信号は、アンテナ２４０で受信された後、無線受信部２３１に入力される。無線受信部２３１はデータや制御信号を受け取り、送信方式に応じたディジタル信号を生成して出力する。具体的には、ＯＦＤＭベースの通信方式であれば、受信信号をアナログ・ディジタル変換した後、処理時間単位でＦＦＴ処理を施した信号が出力される。
【００３８】
無線受信部２３１の出力は情報抽出部２３２に入力され、情報の種類ごとに切り分けが行われる。具体的には、受信した信号を、各移動局装置からのデータ毎の切り分けが行われ、その中でも制御情報送信リソース制御部２２１で管理される制御情報と、上位レイヤへの信号とが分離される。
【００３９】
情報抽出部２３２の出力は伝搬路補償・逆拡散部２３３に入力される。伝搬路補償・逆拡散部２３３では、入力信号に含まれた参照信号から伝搬路の推定を行い、受信信号の補償を行うと同時に、制御情報送信リソース制御部で管理されている直交符号を用いて入力信号の逆拡散を行う。もし、参照信号も拡散されている場合は、スケジューリング部２２０から入力される拡散符号の情報を基に逆拡散を行ってから伝搬路が算出される。ここで、伝搬路補償と逆拡散とを行う順序は問われない。伝搬路補償・逆拡散部２３３はそれぞれの拡散符号に対する出力を行う。
【００４０】
伝搬路補償・逆拡散部２３３の出力は合成・復調部２３４に入力され、複数の入力系列を合成すると同時に送信されたビットを再生する復調処理が行われる。合成とは、伝搬路の状況に応じた重み付け加算を行うことにより、受信品質を高めるための処理である。送信された信号がＣＱＩである場合、そのビットが上位レイヤに渡され、再送処理などの処理に利用される。ここで、伝搬路補償・逆拡散部２３３及び合成・復調部２３４についても、その処理順序は問わない。さらに、受信品質を高めるためにＭＭＳＥ（Ｍｉｎｉｍｕｍ  Ｍｅａｎ  Ｓｑｕａｒｅ  Ｅｒｒｏｒ：最小二乗平均誤差）法を用いることで、これらの処理を同時に行うことも可能であり、その受信アルゴリズムの種別が問われるものではない。
【００４１】
一方、図２に示すように、各移動局装置Ｂは、受信部３１０、スケジューリング情報管理部３２０、送信部３３０、及び、アンテナ２４０を備えている。受信部３１０は無線受信部３１１、伝搬路補償部３１２、復号処理部３１３、制御情報生成部３１７、を備えている。復号処理部３１３は、誤り訂正・検出部３１４、復調部３１５、情報抽出・分離部３１６を備えている。また、スケジュール情報管理３２０は制御情報送信リソース管理部３２１、制御情報管理部３２２を備えており、送信部３３０は情報多重部３３１、変調・拡散部３３２、マッピング部３３３、送信ダイバーシチ信号生成部３３４、無線送信部３３５、を備えている。アンテナ２４０は上りリンク信号の送信及び下りリンク信号の受信に必要な数だけ備えられている。
【００４２】
基地局装置Ａから送信される下りリンク信号をアンテナ２４０で受信すると、この受信信号は無線受信部３１１へ入力される。無線受信部３１１では、アナログ・ディジタル（Ａ／Ｄ）変換などの他に、通信方式に応じた処理が施され、出力される。具体的にＯＦＤＭＡであれば、Ａ／Ｄ変換後の時系列の信号はＦＦＴ処理され、時間・周波数領域の信号に変換されて出力される。
【００４３】
無線受信部３１１の出力信号は伝搬路補償部３１２へ入力され、この入力信号に付与されている参照信号などを利用して伝搬路推定を行い、これを基に伝搬路補償を行って出力する。
【００４４】
また、無線受信部３１１の出力信号は制御情報生成部３１７に入力され、制御情報が生成される。具体的に、この制御情報がＣＱＩであれば、受信した下りリンク信号の参照信号などから受信品質を測定する。空間多重の系列数の場合や送信信号前処理情報の場合についても同様である。制御情報生成部３１７の出力はこれをスケジュール情報管理部３２０へ出力し、制御情報管理部３２２において管理される。
【００４５】
伝搬路補償部３１２の出力は復号処理部３１３に入力され、これをスケジュール情報管理部３２０の出力を基にして復調し、必要であれば誤り訂正・検出が行なった後に、その種類毎に分類され、スケジューリング利用される第一の出力と、上位レイヤで処理される第二の出力と、される。特に、上記において説明したスケジューリング情報が受信された場合には、これをスケジュール情報管理部３２０へ出力し、制御情報送信リソース管理部３２１において管理される。
【００４６】
ここで、復号処理部３１３における情報抽出・分離部３１６と誤り訂正・検出部３１４、復調部３１５については、その処理順序は問わない。例えば、送信された情報の種類に応じてこれらの処理が前後してもよく、また、システムによってこれらの処理が前後してもよい。
【００４７】
送信部３３０は、上りリンクデータやＣＱＩなどの上りリンク制御情報の送信を行う。ここでは、簡単のためＣＱＩ信号のみを送信する場合を例にして、その動作について説明する。下りリンクデータ及び制御情報管理部３２２で管理されるＣＱＩ信号は、その送信タイミングにおいて情報多重部３３１へ供給される。情報多重部３３１では、入力された情報を同時に送信するための処理が行われるが、ここでは基地局装置Ａから送信された直交リソースを用いてＣＱＩのみを送信することを想定する。情報多重部３３１へ入力されたＣＱＩ信号は変調・拡散部３３２に供給される。
【００４８】
変調・拡散部３３２では、スケジュール情報管理部３２０から供給される送信リソースを利用して情報多重部３３１の信号が変調・拡散される。
【００４９】
図４は、送信アンテナ数２個であり、送信ダイバーシチ方式にＳＴＢＣを利用する場合において、割り当てられた直交符号の利用の仕方を模式的に表した図である。この場合、ＳＣ−ＦＤＭＡシンボル１番、５番において２つの直交符号が利用できるため、このＳＣ−ＦＤＭＡシンボルにおいて参照信号が送信される。つまり、直交符号番号０番の直交符号で送信アンテナ１の参照信号が拡散され、直交符号番号１番の直交符号で送信アンテナ２の参照信号が拡散される。その他の直交符号、つまり直交符号番号０番でありＳＣ−ＦＤＭＡシンボル番号が０，２，３，４，６である直交リソースはＣＱＩシンボルを送信するために利用され、この符号で拡散される。
【００５０】
変調・拡散部３３２の出力はマッピング部３３３に出力され、送信ダイバーシチ方式に従ったマッピングがなされ、複数の送信アンテナに対応した数の信号が出力される。
【００５１】
マッピング部３３３によりマッピングされた信号は、送信ダイバーシチ信号生成部３３４に入力される。送信ダイバーシチ方式としてＳＴＢＣが利用される場合には入力信号をＳＴＢＣに基づき各アンテナにマッピングして無線送信部３３５へ出力する。無線送信部３３５では、これらの信号が送信する信号形態に変換される。具体的には、周波数領域の信号をＩＦＦＴにより時間領域の信号へ変換し、ガードインターバルを付与する動作などがこれに相当する。無線送信部３３５の出力はＮ個の系列を持ち、それぞれがＮ個のアンテナ２４０に供給される。
【００５２】
図５（ａ）は、基地局装置から移動局装置へＣＱＩの送信リソースが割り当てられ、そのリソースでＣＱＩの送信を行うシーケンスチャート図である。ここでは、移動局装置における送信アンテナ数は２本でＳＴＢＣを行うことを想定している。尚、移動局装置における送信アンテナ数が２の場合についてここでは例示的に説明するが、３以上の参照信号用直交符号を割り当てる場合においても、本実施の形態と同様の手順を適用することが可能である。
【００５３】
基地局装置Ａは、まず移動局装置ＢへＣＱＩを送信するためのリソースを割り当てる（５０１）。ここでいうリソースとは、時間リソース、周波数リソース、拡散符号に利用する系列の情報を含んでいる。時間リソースとは、どの時間タイミングでＣＱＩを送信できるかを表しており、ある基準地点からのオフセット値と周期が基地局装置Ａから移動局装置Ｂへと通知される。周波数リソースとは、どのリソースブロックを利用するかを表している。拡散符号に利用する系列の情報とは、どのＳＣ−ＦＤＭＡシンボルでどの直交符号を利用することができるかということを表す情報であり、単純にリソース番号のみが通知される、もしくはリソース番号に対応する情報が通知されることを意味する。
【００５４】
５０１の処理による、リリース割り当ての具体例としては、ＳＴＢＣを用いた送信ダイバーシチにより、ＣＱＩを送信する移動局装置Ｂ（１）および移動局装置Ｂ（２）に対して拡散符号系列を割り当てる動作を図５（ｂ）を用いて説明する。基地局装置Ａは移動局装置Ｂ（１）に対して、すべてのSC-FDMAシンボルにおける直交符号番号０番の直交符号（CAZAC系列のサイクリックシフトの値に相当）を割り当て、さらに、SC-FDMAシンボル番号１番、５番における直交符号番号１番の直交符号を割り当てる信号を送信する。さらに、この信号には、SC-FDMAシンボル番号１番と5番を参照信号として利用し、直交符号番号０番をアンテナ１に利用し、直交符号番号１番をアンテナ２に利用することも含められる。さらに、基地局装置Ａは移動局装置Ｂ（２）に対して、すべてのSC-FDMAシンボルにおける直交符号番号２番のCAZACリソースを割り当て、さらに、SC-FDMAシンボル番号２番、４番における直交符号番号１番のCAZACリソースを割り当てる信号を送信する。さらに、この信号には、SC-FDMAシンボル番号２番と４番を参照信号として利用し、直交符号番号１番をアンテナ１に利用し、直交符号番号２番をアンテナ２に利用することも含められる。この際の割り当て方法は、どのレイヤの制御信号を使用してもよく、ビットの並び順や手続きなどの詳細は問われない。
【００５５】
次に、基地局装置Ａは、移動局装置Ｂに対してＣＱＩに利用できるＣＱＩ計算用信号を送信する（５０３）。これを受信した移動局装置ＢはＣＱＩを算出し（５０４）、５０１の処理で割り当てられた直交符号による拡散を行い、周波数リソースにマッピングを行う（５０５）。さらにマッピングされた信号は送信ダイバーシチ方式に対応したアンテナマッピングが行われ（５０６）、割り当てられた時間リソースにおいて基地局装置Ａへ送信される（５０７）。基地局装置Ａは、この信号を受信し、参照信号の抽出、チャネル推定、ＣＱＩ情報の抽出、復調などの受信処理を行う（５０８）。ここで、参照信号の位置については、ＣＱＩ送信リソースの割り当て処理５０１の段階で移動局装置Ｂに通知しているため、基地局装置Ａもその情報を利用することができる。上記５０３から５０８までの処理は、ＣＱＩ送信リソースの割り当て５０１の後に複数回処理が行われ、また、同様の処理がＭ個の移動局装置についても同様に行われる。
【００５６】
以上の手順により、移動局装置が制御情報をＣＤＭＡおよびＳＴＢＣによる送信ダイバーシチを適用して送信する際に、ダイバーシチ利得を得つつ拡散符号リソースを有効に利用することが可能となる。結果として、一つの時間・周波数リソースにおいてＣＤＭＡできる移動局装置数を改善することができる。本実施例では送信される制御情報としてＣＱＩを例にとり、その手続きおよび送信方法を説明したが、送信される制御情報はＣＱＩだけに関わらず空間多重系列数情報、送信信号前処理情報など、その他の情報を送信する場合にも適用できる。
【００５７】
（第２の実施の形態）
図６（ａ）は、本発明の第２の実施の形態による移動通信システムにおける、基地局装置Ａと移動局装置Ｂとの間の処理及び信号の流れを示すシーケンス図である。本実施の形態は、基地局装置Ａと１つの移動局装置Ｂとの間の手続きについて説明しているが、複数の移動局装置が基地局装置と通信する場合にも同様の手続きが可能である。また、基地局装置Ａと移動局装置Ｂの構成は、図２及び図３に示した構成と同様のものを利用することができる。
【００５８】
ここで、本発明の第２の実施の形態と第１の実施の形態とは、基地局装置から移動局装置に割り当てられるＣＱＩ送信リソースの割り当て方法に違いがある。第１の実施の形態では、ＣＱＩ送信リソースの一つとして通知される拡散符号に利用する系列の情報について、どのＳＣ−ＦＤＭＡシンボルでどのCAZAC系列を利用することができるかということを詳細かつ柔軟に通知していたが、本実施の形態では、表す情報を圧縮して一つのインデックスとして移動局装置に送信する。そして、移動局装置はそのインデックスから利用できる直交リソースを一意に解釈するということが特徴である。
【００５９】
以下に、具体的な手順について、図６を参照しながら説明する。
【００６０】
基地局装置Ａは、まず移動局装置ＢへＣＱＩを送信するためのリソースを（５０１）。ここでいうリソースとは、時間リソース、周波数リソース、拡散符号に利用する系列の情報を含んでいる。時間リソースとは、どの時間タイミングでＣＱＩを送信できるかを表しており、ある基準地点からのオフセット値と周期が基地局装置から移動局装置へと通知される。周波数リソースとはどのリソースブロックを利用するかを表している。拡散符号に利用する系列の情報とは、どのＳＣ−ＦＤＭＡシンボルでどのCAZAC系列を利用することができるかということを表す情報であり、ここでは単一のインデックスのみが通知される。
【００６１】
一方、これを受信した移動局装置Ｂは、インデックスと対応するCAZAC系列を計算し、どのSC-FDMAシンボルのどのCAZAC符号を利用して、どのような情報を送信するかを解釈する（６０２）。具体的には、ＳＴＢＣを用いた送信ダイバーシチでＣＱＩを送信する移動局装置Ｂ（１）およびＢ（２）に対して拡散符号系列を割り当てるときの手順を図６（ｂ）および図６（ｃ）を参照しながら説明する。基地局装置Ａは移動局装置Ｂ（１）に対して、インデックス０番を表す信号を送信する。０番とは、全てのSC-FDMAシンボルにおける直交符号番号０番の直交符号（ＣＡＺＡＣ系列のサイクリックシフトの値に相当）を割り当て、さらに、SC-FDMAシンボル番号１番、５番における直交符号番号１番の直交符号と、SC-FDMAシンボル番号１番と5番を参照信号として利用し、直交符号番号０番をアンテナ１に利用し、直交符号番号１番をアンテナ２に利用することを表す番号であり、あらかじめ基地局装置Ａと移動局装置Ｂとで共有された情報である。
【００６２】
さらに、基地局装置Ａは、移動局装置Ｂ（２）に対して、２番を表す信号を送信する。２番とは、すべてのSC-FDMAシンボルにおける直交符号番号２番の直交符号を割り当て、さらに、SC-FDMAシンボル番号２番、４番における直交符号番号１番の直交符号を割り当て、SC-FDMAシンボル番号２番と４番を参照信号として利用し、直交符号番号１番をアンテナ１に利用し、直交符号番号２番をアンテナ２に利用することを表す番号である。この解釈についても予め基地局装置Ａと移動局装置Ｂとで共有された情報である。この際の割り当て方法は、どのレイヤの制御信号を使用してもよく、ビットの並び順や手続きなどの詳細は問われない。
【００６３】
尚、図６（ａ）の５０３から５０８までの手順については、第１の実施の形態と同様であるため、説明は省略する。
【００６４】
以上の手順により、移動局装置Ｂが制御情報をＣＤＭＡおよびＳＴＢＣによる送信ダイバーシチを適用して送信する際に、ダイバーシチ利得を得つつ拡散符号リソースを有効に利用することが可能となる。かつ、ＣＱＩ送信リソースの割り当てに発生する、基地局装置Ａから移動局装置Ｂに送信される制御情報を削減することも可能である。さらに、送信ダイバーシチが適用可能な移動局装置と、適用不可能な移動局装置が混在するようなシステムに本発明を適用すると、ＣＱＩ送信リソースの割り当ての仕組みを変更せず、移動局装置の分類によってＣＱＩリソースの割り当てに関する解釈を変えることによって、両装置を混在させることも可能である。
【００６５】
また、本実施の形態において、どのSC-FDMAシンボルに参照信号を配置するかという一例を図６（ｃ）に示したが、参照信号の配置は図６（ｃ）の例に限るものではなく、例えば図７に示したような配置とすることも可能である。つまり、基地局装置から割り当てられた直交符号が移動局装置間で衝突しなければどのように割り当てられてもよい。また、参照信号はスロットごとに２SC-FDMAシンボル配置される必要もなく、移動局装置の状況（たとえば移動局装置の移動速度や基地局からの距離）に応じて可変に割り当ててもよい。
【００６６】
本実施の形態では、送信される制御情報としてＣＱＩを例にとり、その手続きおよび送信方法を説明したが、送信される制御情報はＣＱＩだけに関わらず空間多重系列数情報、送信信号前処理情報など、その他の情報を送信する場合にも適用できる。
【００６７】
（第３の実施の形態）
図６は、本発明の第３の実施の形態による移動通信システムにおける、基地局装置と移動局装置との間の処理及び信号の流れを示すシーケンス図でもある。本実施の形態では、基地局装置と１つの移動局装置との間の手続きについて説明しているが、複数の移動局装置が基地局装置と通信する場合にも同様の手続きが可能である。また、基地局装置と移動局装置の構成は、図２及び図３に示した構成と同様のものを利用することができる。
【００６８】
ここで、本実施の形態のシーケンスは、第２の実施の形態とシーケンスは同様であるが、基地局装置から移動局装置に割り当てられる参照信号リソースの割り当て方法に違いがある。すなわち、第２の実施の形態では、参照信号が配置されるSC-FDMAシンボルの位置はスロットにおいて同一であったが、本実施の形態ではスロット間でその配置が変化することが特徴である。
【００６９】
具体的な手順について、図６を参照しながら説明する。
【００７０】
基地局装置Ａは、まず移動局装置ＢへＣＱＩを送信するためのリソースを（５０１）。ここでいうリソースとは、時間リソース、周波数リソース、拡散符号に利用する系列の情報を含んでいる。時間リソースとは、どの時間タイミングでＣＱＩを送信できるかを表しており、ある基準地点からのオフセット値と周期が基地局装置から移動局装置へと通知される。周波数リソースとはどのリソースブロックを利用するかを表している。拡散符号に利用する系列の情報とは、どのＳＣ−ＦＤＭＡシンボルでどの直交符号（サイクリックシフトされたＣＡＺＡＣ系列）を利用することができるかということを表す情報であり、ここでは単一のインデックスのみが通知される。一方、これを受信した移動局装置は、インデックスと対応するサイクリックシフトのＣＡＺＡＣ系列を計算し、どのSC-FDMAシンボルにおいてどの直交符号を利用して、どのような情報を送信するかを解釈する（６０２）。
【００７１】
具体的には、ＳＴＢＣを用いた送信ダイバーシチでＣＱＩを送信する移動局装置Ｂ（１）およびＢ（２）に対して拡散符号系列を割り当てるときの手順を図８の（a）および（b）を用いて説明する。基地局装置は移動局装置１に対して、インデックス0番を表す信号を送信する。０番とは第一のスロットにおいて、すべてのSC-FDMAシンボルにおける直交符号番号０番の直交符号を割り当て、さらに、SC-FDMAシンボル番号１番、５番における直交符号番号１番のCAZACリソースと、SC-FDMAシンボル番号１番と5番を参照信号として利用し、直交符号番号０番をアンテナ１に利用し、直交符号番号１番をアンテナ２に利用することを表す番号である。また、第２のスロットにおいては、すべてのSC-FDMAシンボルにおける直交符号番号０番のCAZACリソースを割り当て、さらに、SC-FDMAシンボル番号２番、４番における直交符号番号１番のCAZACリソースと、SC-FDMAシンボル番号２番と４番を参照信号として利用し、直交符号番号０番をアンテナ１に利用し、直交符号番号１番をアンテナ２に利用することを表す。これらは、あらかじめ基地局装置と移動局装置で共有された情報である５０３から５０８までの手順については、第１および第２の実施の形態と同様である。
【００７２】
以上の手順により、移動局装置が、制御情報をＣＤＭＡおよびＳＴＢＣによる送信ダイバーシチを適用して送信する際に、ダイバーシチ利得を得つつ拡散符号リソースを有効に利用することが可能となる。かつ、参照信号の位置に起因した劣化が発生する場合に、その劣化を軽減させることができる。
【００７３】
さらに、本実施の形態において、つまりどのSC-FDMAシンボルに参照信号を配置するかという一例を図６（ｃ）に示したが、配置はこの図の例に限るものではなく、図７に示したような配置をすることも可能である。つまり、基地局装置から割り当てられた直交符号が移動局装置間で衝突しなければどのように割り当てられてもよい。また、参照信号はスロットごとに２SC-FDMAシンボル配置される必要もなく、移動局装置の状況（たとえば移動局装置の移動速度や基地局装置からの距離）に応じて可変に割り当てるようにしてもよい。
【００７４】
本実施の形態では、送信される制御情報としてＣＱＩを例にとり、その手続きおよび送信方法を説明したが、送信される制御情報はＣＱＩだけに限定されるものではなく、空間多重系列数情報（ＲＩ）、送信信号前処理情報（ＰＭＩ）など、ＡＣＫ／ＮＡＣＫなどの情報を送信する場合にも適用できる。
【００７５】
上記のそれぞれの実施の形態においては、説明の都合上、基地局装置と移動局装置とが一対一の場合を例にして説明したが、基地局装置および移動局装置は複数であっても良い。また、移動局装置とは、移動する端末に限らず、基地局装置や固定端末に移動局装置の機能を実装することなどにより実現しても良い。
【００７６】
また、以上に説明したそれぞれの実施の形態において、ＣＡＺＡＣ系列のサイクリックシフトによる直交符号を例にして説明を行ったが、直交符号の系列はこれに限るものではなく、どのような直交符号も利用することができる。
【００７７】
また、以上に説明したそれぞれの実施の形態において、基地局装置内の各機能や、移動局装置内の各機能を実現するためのプログラムをコンピュータ読み取り可能な記録媒体に記録して、この記録媒体に記録されたプログラムをコンピュータシステムに読み込ませ、実行することにより基地局装置や移動局装置の制御を行っても良い。尚、ここでいう「コンピュータシステム」とは、ＯＳや周辺機器等のハードウェアを含むものとする。
【００７８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに、前述した機能をコンピュータシステムに既に記録されているプログラムとの組み合わせで実現できるものであっても良い。
【００７９】
以上、この発明の実施の形態について図面を参照して詳述してきたが、具体的な構成はこれらの実施の形態に限られるものではなく、この発明の要旨を逸脱しない範囲の設計等も特許請求の範囲に含まれる。
【産業上の利用可能性】
【００８０】
本発明は、移動通信装置に利用可能である。
【符号の説明】
【００８１】
Ａ…基地局装置、２１０…送信部、２１１…情報多重部、２２０…スケジューリング部、２３０…受信部、２１２…変調部、２１３…マッピング部、２１４…無線送信部、２２０…スケジューリング部、２２２…制御情報送信リソース制御部、２３０…受信部、２３１…無線受信部、２３２…情報抽出部、２３３…伝搬路補償・逆拡散部、２３４…合成・復調部、２４０…アンテナ、Ｂ…移動局装置、３１０…受信部、３１１…無線受信部、３１２…伝搬路補償部、３１３…復号処理部、３１４…誤り訂正・検出部、３１５…復調部、３１６…情報抽出・分離部、３１７…制御情報生成部、３２０…スケジューリング情報管理部、３２１…制御情報送信リソース管理部、３２２…制御情報管理部、３３０…送信部、３３１…情報多重部、３３２…変調・拡散部、３３３…マッピング部、３３４…送信ダイバーシチ信号生成部、３３５…無線送信部。
【図１】
2010200077.tif 000003
【図２】
2010200077.tif 000004
【図３】
2010200077.tif 000005
【図４】
2010200077.tif 000006
【図５】
2010200077.tif 000007
【図６】
2010200077.tif 000008
【図７】
2010200077.tif 000009
【図８】
2010200077.tif 000010
【図９】
2010200077.tif 000011
【図１０】
2010200077.tif 000012
【図１１】
2010200077.tif 000013
【図１２】
2010200077.tif 000014